(57)【特許請求の範囲】
【請求項１】
折り畳み可能な携帯用フットレストであって、
一方側表面と他方側表面を有し、載置された足を支持するための布部材と、
前記布部材の前記一方側表面に設けられ、足を載置可能な載置部と、
前記布部材を所定の部材につり下げるための支持部材と、
前記布部材の前記一方側表面と前記他方側表面との間に設けられ、足を挿入可能に構成されかつ当該足を保温するための挿入部と、
前記布部材の前記載置部と前記挿入部との間、又は前記挿入部と前記他方側表面との間に設けられ、足を保温又は加温可能な熱源を収容するための収容部と、
前記挿入部への入り口となる挿入口と、
前記収容部への入り口となる収容口と、
を有し、
前記載置部、前記挿入部及び前記収容部は、前記布部材の厚み方向に沿って相互に重なって形成され、
前記挿入口と前記収容口とは相互に異なる開口部であることを特徴とする携帯用フットレスト。
【請求項２】
前記布部材の他方側表面に前記載置部の幅方向にわたって設けられた接続部材を備え、
前記支持部材は、前記接続部材に接続されていることを特徴とする請求項１に記載の携帯用フットレスト。
【発明の詳細な説明】
【技術分野】
【０００１】
本発明は、携帯用フットレストに関する。
【背景技術】
【０００２】
従来から、長時間、飛行機や列車等に乗っている時の足のだるさ、膝の痛みを防止する携帯用足掛け具が知られている（下記特許文献１参照）。
【特許文献１】実用新案登録第３０８２９５９号公報
【発明の概要】
【発明が解決しようとする課題】
【０００３】
ところが、特許文献１の携帯用足掛け具では、前のシートに掛けられた袋に足を載せるだけであり、袋に載せた足が冷えてしまう問題がある。特に、新幹線や航空機などは毛布などの掛け物が配布されるが、掛け物がない場合には足が冷えてしまい、好ましくない。
【０００４】
そこで、本発明は、上記問題点に鑑み、簡易な構成で、足を載せることができ、かつ足を保温又は加温するための機能を備えた携帯用フットレストを提供することを目的とする。
【課題を解決するための手段】
【０００５】
本発明は、折り畳み可能な携帯用フットレストであって、一方側表面と他方側表面を有し、載置された足を支持するための布部材と、前記布部材の前記一方側表面に設けられ、足を載置可能な載置部と、前記布部材を所定の部材につり下げるための支持部材と、前記布部材の前記一方側表面と前記他方側表面との間に設けられ、足を挿入可能に構成されかつ当該足を保温するための挿入部と、前記布部材の前記載置部と前記挿入部との間、又は前記挿入部と前記他方側表面との間に設けられ、足を保温又は加温可能な熱源を収容するための収容部と、前記挿入部への入り口となる挿入口と、前記収容部への入り口となる収容口と、を有し、前記載置部、前記挿入部及び前記収容部は、前記布部材の厚み方向に沿って相互に重なって形成され、前記挿入口と前記収容口とは相互に異なる開口部であることを特徴とする。
特に、前記布部材の他方側表面に前記載置部の幅方向にわたって設けられた接続部材を備え、前記支持部材は、前記接続部材に接続されていることが好ましい。
【０００６】
参考発明として、折り畳み可能な携帯用フットレストであって、載置された足を支持するための布部材と、前記布部材を所定の部材につり下げるための支持部材と、を有し、前記布部材の一方側表面は、足が載置可能な載置部で構成され、前記一方側表面と前記布部材の他方側表面との間に、足を挿入可能に構成され当該足を保温するための挿入部を備えたことを特徴とする。
この場合、前記布部材の前記載置部と前記挿入部との間、又は前記挿入部と前記他方側表面との間に、足を保温又は加温可能な熱源を収容するための収容部を備えたことを特徴とする。
【０００７】
この場合、前記載置部、前記挿入部及び前記収容部は、前記布部材の厚み方向に沿って相互に重なって形成されていることを特徴とする。
【発明の効果】
【０００８】
本発明によれば、布部材が所定の部材に支持部材によって吊り下げられた状態で、足を載せると、布部材が足からの圧力を受けて撓んだ状態になる。布部材の一方側表面には、足が載置可能な載置部が構成されている。この載置部に足を載せることにより、携帯用のフットレストとして使用することができる。
【０００９】
また、布部材の一方側表面と他方側表面との間に、足を挿入可能に構成され当該足を保温するための挿入部を備えているため、足を挿入部に挿入して保温することができる。これにより、足、ひいては身体全体が冷えることを防止できる。
【００１０】
さらに、携帯用フットレストは布部材を備えているため、適宜、折り畳むことができ、携帯用として持ち歩きが容易になる。
【００１１】
なお、本発明の「足」とは、足くびから先の部位、換言すれば、くるぶしからつま先までの部位を意味する。
【００１２】
また、布部材の載置部と挿入部との間、又は挿入部と布部材の他方側表面との間に、足を保温又は加温可能な熱源を収容するための収容部を備えているため、収容部に熱源を収容することができる。これにより、足を加温することができ、足、ひいては身体全体を温めることが可能になる。
【００１３】
また、載置部、挿入部及び収容部は、布部材の厚み方向に沿って相互に重なって形成されているため、載置部、挿入部及び収容部の各々を効率良く配置することができる。これにより、携帯用フットレストを小型化することができ、携帯用として持ち歩き時に便利になる。
【図面の簡単な説明】
【００１４】
【図１】本発明の一実施形態に係る携帯用フットレストの使用状態を示す概念図である。
【図２】本発明の一実施形態に係る携帯用フットレストの平面図である。
【図３】本発明の一実施形態に係る携帯用フットレストの底面図である。
【図４】本発明の一実施形態に係る携帯用フットレストの断面図（図２のＡ−Ａ間で切断した断面図）である。
【図５】本発明の一実施形態に係る携帯用フットレストの載置部に足を載せた状態を平面方向から見た概念図である。
【図６】本発明の一実施形態に係る携帯用フットレストの載置部に足を載せた状態を断面方向から見た概念図である。
【図７】本発明の一実施形態に係る携帯用フットレストの挿入部に足を挿入させる状態を平面方向から見た概念図である。
【図８】本発明の一実施形態に係る携帯用フットレストの挿入部に足を挿入した状態を断面方向から見た概念図である。
【発明を実施するための形態】
【００１５】
次に、本発明の一実施形態に係る携帯用フットレストについて、図面を参照して説明する。なお、以下の実施形態において、「足」とは、足くびから先の部位、換言すれば、くるぶしからつま先までの部位を意味する。
【００１６】
図１乃至図４に示すように、携帯用フットレスト１０は、折り畳み可能な携帯用フットレストであり、例えば、載置された足Ｆを支持する可撓性の布部材１２と、布部材１２を所定の部材につり下げるための支持部材１４と、を有している。
【００１７】
布部材１２は、例えば、いわゆる布で構成されており、天然繊維、再生繊維、合成繊維などで構成されている。天然繊維では、例えば、木綿、絹、麻、ウール、カシミア、モへヤの少なくともいずれか一つ、あるいは複数がブレンドされたものが使用できる。再生繊維では、例えば、アセテート、キュプラ、レーヨン、再生ポリエステルの少なくともいずれか一つ、あるいは複数がブレンドされたものが使用できる。合成繊維では、例えば、ナイロン、ポリウレタン、ポリエステルの少なくともいずれか一つ、あるいは複数がブレンドされたものが使用できる。
【００１８】
図２、図３、図４、図５及び図６に示すように、布部材１２の一方側表面１２Ａは、足Ｆが載置可能な載置部１６で構成されている。換言すれば、図１に示すように、携帯用フットレスト１０が前席Ｓの背面につり下げられる等して布部材１２が撓んだ状態になれば、布部材１２の載置部１６は、布部材１２の圧縮側表面１３Ａ上に形成される。
【００１９】
載置部１６には、防水性を有する材質か、あるいは防水加工がされていることが好ましい。これにより、特に靴を履いた状態で載置部１６に足Ｆを載せた場合でも、布部材１２に水分や汚れがしみ込むことを防止でき、また汚れた場合でも洗浄することが可能になる。
【００２０】
図２、図３、図４、図７及び図８に示すように、布部材１２の載置部１６の下側（布部材１２の一方側表面１２Ａと他方側表面１２Ｂとの間）には、足Ｆを挿入可能に構成され当該足Ｆを保温するための挿入部１８が形成されている。換言すれば、携帯用フットレスト１０が前席Ｓの背面につり下げられる等して布部材１２が撓んだ状態になれば、布部材１２の挿入部１８は、載置部１６の中立面側に位置する。
【００２１】
挿入部１８の入り口（開口部）は、布部材１２の端部から内側に位置している部位に形成されていることが好ましい。なぜならば、図７及び図８に示すように、挿入部１８の内部に足Ｆを入れる場合には、入り口付近に足Ｆを一時的に載せる足置き部位が必要になり、挿入部１８の入り口（開口部）が布部材１２の前後方向端部１２Ｃから内側に位置していれば、後述の収容部２０の上壁部２０Ａを足置き部位として利用することができるからである。これにより、足置き部位に足Ｆを載せた後、足Ｆをそのままスライド移動させて、挿入部１８の入り口から内部に進入させることができる。
【００２２】
逆に、挿入部１８の入り口が布部材１２の端部に形成されていると、挿入部１８に足Ｆを挿入する際に、足Ｆを空中に浮かせて、足Ｆの指で入り口をあける必要がある。この構成だと、利用者の下半身や腹筋に負担が生じ、真に使い難くなる。そこで、上述のとおり、挿入部１８の入り口（開口部）が布部材１２の端部から内側に位置している部位に形成されていることにより、挿入部１８に足Ｆを挿入する際に、収容部２０の上壁部２０Ａを足置き部位として利用することができ、便利である。
【００２３】
挿入部１８の内部には、必要に応じて、羽毛、毛糸、羊毛、綿などの保温部材（図示省略）を設けてもよい。
【００２４】
布部材１２の挿入部１８と布部材１２の他方側表面１２Ｂとの間には、足Ｆを保温又は加温可能な熱源２６を収容するための収容部２０が形成されている。換言すれば、携帯用フットレスト１０が前席Ｓの背面につり下げられる等して布部材１２が撓んだ状態になれば、挿入部１８と撓んだ状態の布部材１２の引張側表面１３Ｂとの間に、収容部２０が位置する。収容部２０は、例えば、ポケット状に構成されている。
【００２５】
熱源２６とは、現在知られている様々なものが使用でき、使い捨てカイロ、白金触媒式カイロ、電池式カイロ、エコカイロなどのカイロ類や、発熱する媒体（例えば、温水）を収容した容器などが採用できる。
【００２６】
収容部２０の内部には、熱源２６を位置決めするための位置決め部材を設けてもよい。位置決め部材としては、例えば、繊維を凸状に形成したものや、熱源２６が配置される凹部などが該当する。
【００２７】
なお、収容部２０は、布部材１２の載置部１６と挿入部１８との間に形成されていてもよい。
【００２８】
また、載置部１６及び挿入部１８が構成されていれば、収容部２０は必要不可欠の構成ではないが、収容部２０が構成されていることにより保温・加温機能を高めることができる。また、載置部１６と収容部２０の両方だけが構成されている構成を採用してもよい。
【００２９】
足Ｆを保温又は加温可能な熱源２６を収容するための収容部２０を備えているため、収容部２０に熱源を収容することができる。これにより、足Ｆを加温することができ、足Ｆ、ひいては身体全体を温めることが可能になる。
【００３０】
以上により、載置部１６、挿入部１８及び収容部２０は、布部材１２の厚み方向（布部材１２が撓んだ状態になると布部材１２の曲率半径方向）に沿って相互に重なって形成される。このため、載置部１６、挿入部１８及び収容部２０の各々を効率良く配置することができる。これにより、携帯用フットレスト１０を小型化することができ、携帯用として持ち歩き時に便利になる。
【００３１】
支持部材１４は、布部材１２を他の部材（例えば、前席Ｓ）に吊り下げるための紐状部材で構成されている。支持部材１４には、引掛け部（例えば、フック）２８が取り付けられており、引掛け部２８を介して前席Ｓに固定してもよいし、バックルを用いてもよい。さらには、支持部材１４に自身の長さを調節できるアジャスタ機構（図示省略）を設け、布部材１２を吊り下げたときに、自身の長さを調節することにより布部材１２の高さを調節できるようにしてもよい。
【００３２】
また、布部材１２の他方側表面１２Ｂには、支持部材１４と接続するための接続部材２２が設けられている。接続部材２２は、布部材１２の一辺に単数又は複数設けられている。接続部材２２には貫通穴２４が形成されており、当該貫通穴２４に支持部材１４が挿通されている。
【００３３】
ここで、接続部材２２は、布部材１２の撓み方向（図４中矢印Ｙ方向）に対して直交する方向にわたって延びている。このため、接続部材２２は、布部材１２の他方側表面１２Ｂを横切る形で伸びているため、載置部１６に置かれた足Ｆを布部材１２の他方側表面１２Ｂ側から支持する機能を有している。この結果、布部材１２を薄くて強度の低い材質で形成しても、接続部材２２の補強効果が発揮され、足Ｆから受ける圧力に対抗することができる。
【００３４】
次に、携帯用フットレスト１０の作用及び効果について説明する。
【００３５】
図１に示すように、飛行機や電車などで使用する場合には、前席Ｓの背面に支持部材１４を引掛けて、布部材１２を吊り下げる。このとき、支持部材１４のアジャスタ機構を適宜調節して布部材１２の高さを調節する。
【００３６】
次に、図５及び図６に示すように、布部材１２の載置部１６上に、利用者の足Ｆを載せる。これにより、利用者は、靴を脱いで、下半身を延ばすことができ、楽な姿勢でリラックスすることができる。当然ながら、靴を履いた状態で、載置部１６に足Ｆを載せてもよい。
【００３７】
このとき、載置部１６には足Ｆの重みなどを受けて圧力が作用する。布部材１２は可撓性であるため、圧力を受けて所定の曲率を描き、撓む。この撓んだ状態の布部材１２の載置部１６に足Ｆを載せることにより、足Ｆを適度に位置決めでき、利用者にとって快適になる。
【００３８】
ここで、例えば、靴を脱いだ状態で、載置部１６に足Ｆを長時間載せておくと、やがて足Ｆが冷えてくる。足Ｆが冷えると、身体全体が冷える要因にもなり、血流にもある程度の影響が生じる懸念がある。
【００３９】
そこで、この場合には、図７及び図８に示すように、足Ｆを挿入部１８に挿入する。挿入部１８に足Ｆを挿入すると、足Ｆの大半が挿入部１８の内部に入る。換言すれば、足Ｆの大半が挿入部１８に隠れた状態になる。このため、足Ｆを保温することができる。加えて、足Ｆが露出しないため、足Ｆが隣の席に座っている人の視野に入ることがなく、見苦しくならない。
【００４０】
特に、挿入部１８に羽毛などの保温部材が配置されている構成では、足Ｆの保温効果を一層高めることができる。
【００４１】
さらに、航空機での長時間の飛行時には、航空機内の温度と湿度が下がり、一層寒くなる傾向がある。特に、エコノミークラスの席に座っている場合には、座席の幅が狭く、隣の席が近いため、掛け物があっても上手く足Ｆに掛けることができない問題がある。
【００４２】
この場合には、図４に示すように、収容部２０に熱源２６を収容することにより、加温効果を期待することができる。具体的には、布部材１２の一方側表面１２Ａから順に掲置部１６、挿入部１８及び収容部２０という配置構成であれば、収容部２０に熱源２６を収容すると、挿入部１８に挿入した足Ｆの裏側から熱が伝わり、足Ｆへの加温効果を高めることができる。また、載置部１６に足Ｆを載せていた場合でも、熱源２６からの熱が挿入部１８に伝わり、さらに載置部１６に伝わるため、足Ｆへの加温効果を期待することができる。
【００４３】
なお、携帯用フットレスト１０の使用を中止する場合には、前席Ｓに引っ掛けられた支持部材１４を取り外し、布部材１２を適宜、丸めたり、折り畳んだりして小型化することができる。そして、丸めたり、折り畳んだ布部材１２に支持部材１４を巻き付けることにより、その状態を維持しておくことができる。この結果、携帯用フットレスト１０をバック類に容易に収納でき、持ち運びすることができる。
【００４４】
以上のように、本実施形態の携帯用フットレスト１０によれば、どこでも容易に持ち運びができる。そして、必要な時に、支持部材１４により布部材１２を吊り下げるだけで、容易にフットレストとして使用することができる。
【００４５】
なお、布部材１２の形状及び大きさは適切なものに容易に変更することができる。支持部材１４の長さ、接続部材２２の形状及び個数も適宜容易に変更することができる。そして、これらの変更は、本発明者の想定する範囲であり、本発明に含まれる。
【符号の説明】
【００４６】
１０    携帯用フットレスト
１２    布部材
１４    支持部材
１６    載置部
１８    挿入部
２０    収容部
２２    接続部材
Ｆ      足
【要約】
【課題】簡易な構成で、足を載せることができ、かつ足を保温又は加温するための機能を備えた携帯用フットレストを提供する。
【解決手段】折り畳み可能な携帯用フットレスト１０であって、載置された足を支持するための布部材１２と、布部材１２を所定の部材につり下げるための支持部材１４と、を有し、布部材１２の一方側表面１２Ａは、足が載置可能な載置部１６で構成され、一方側表面１２Ａと布部材１２の他方側表面１２Ｂとの間に、足を挿入可能に構成され当該足を保温するための挿入部１８を備えたことを特徴とする。
【選択図】      図１【図１】
0005390689.tif 000002
【図２】
0005390689.tif 000003
【図３】
0005390689.tif 000004
【図４】
0005390689.tif 000005
【図５】
0005390689.tif 000006
【図６】
0005390689.tif 000007
【図７】
0005390689.tif 000008
【図８】
0005390689.tif 000009